(57)【特許請求の範囲】
【請求項１】
デザイナーが製作し、店舗のウインドウのデコレーション、工事現場の仮囲い等に装飾を施すためのデザイン画像をデジタルデータ化して、デジタルデータ化された個々のデータを多数の専用コレクションとして選択・区分けし、関連付けして保存・蓄積するデザイン・データベースを有し、前記デザイン・データベースのデザイン画像をライブラリ化し、店舗、建設会社および一般客を含む不特定多数の顧客へ通信ネットワークを介して、前記ライブラリ化されたデザイン画像を、公開・受注・販売するデザイン管理本部のサーバと、前記デザイン管理本部と通信ネットワークを介して接続され、デザイン管理本部による募集又はデザイン管理本部との契約によりデザイン画像を登録するデザイナーの端末装置と、公開されたデザイン画像を参照して希望する商品を発注依頼する顧客の端末装置と、顧客からの依頼又はデザイン管理本部からの指示により受注・製品化・施工・納品を行う代理店の端末装置とで構成され、前記デザイン画像を登録しているデザイナーは通信ネットワークを介して店舗、建設会社および一般客を含む不特定多数の顧客の端末装置に公開され、前記顧客は公開された前記デザイナーに通信ネットワークを介して新規のデザインを依頼することができ、依頼により製作され登録されたデザイン画像はデジタルデータ化されて前記デザイン・データベースに保存・蓄積されるデザイン・データの販売管理システムであって、
前記デザイン画像を登録するデザイナーを作品の使用状況等によりランク付けし、このランクに基づいて前記デザイン画像の供給回数等の取扱いを規定することを特徴とするデザイン・データの販売管理システム。
【請求項２】
デジタルデータ化された前記デザイン画像を取り扱う代理店を作品の発注状況等によりランク付けし、このランクに基づいて前記デザイン画像の発注回数等の取扱いを規定することを特徴とする請求項１に記載のデザイン・データの販売管理システム。
【請求項３】
前記デザイン・データベースのデジタルデータ化されたデザイン画像は、作品毎に優先加工販売権が設定され、優先加工販売権が設定された各デザインのデジタルデータはオークションにより、施工・納品を行う前記代理店に提供されることを特徴とする請求項１又は２に記載のデザイン・データの販売管理システム。
【請求項４】
前記デザイン・データベースのデジタルデータ化されたデザイン画像は、作品毎に債券化され、債券化された各デザインのデジタルデータは、施工・納品に関与する顧客、代理店及び作品を制作したデザイナーを含むデザインの販売管理システム内で流通することを特徴とする請求項１又は２に記載のデザイン・データの販売管理システム。
【請求項５】
前記デザイン・データベースのデジタルデータ化されたデザイン画像の各データは、新たなデザイン画像におけるパーツとして使用可能で、通信ネットワークを介して前記パーツを用いた新たなデザイン画像を編集するデザイン編集手段を有していることを特徴とする請求項１〜４のいずれかに記載のデザイン・データの販売管理システム。
【請求項６】
前記デザイン編集手段を用いて作成されたデザイン画像は、新たなデザイン画像としてデジタルデータ化され、前記デザイン・データベースに各データが関連付けされて登録・保存されることを特徴とする請求項５に記載のデザイン・データの販売管理システム。
【請求項７】
店舗などに製品化され施工された前記デザイン画像による作品の写真又は施工仕様を、店舗、建設会社および一般客を含む不特定多数の顧客へ通信ネットワークを介して公開し、前記顧客は希望する当該デザイン画像による商品を、通信ネットワークを介して発注できることを特徴とする請求項１〜６のいずれかに記載のデザイン・データの販売管理システム。
【請求項８】
請求項１〜７のいずれかに記載のデザイン・データの販売管理システムにおいて、デザイン画像の各デザインパーツを、装飾用粘着シートを用いて加工し製品化及び施工することを特徴とするデザイン・データを用いた装飾方法。
【請求項９】
請求項１〜７のいずれかに記載のデザイン・データの販売管理システムにおいて、デザイン画像をプラスティックフィルム、紙などのシートに印刷して製品化及び施工することを特徴とするデザイン・データを用いた装飾方法。
【発明の詳細な説明】
【０００１】
【発明の属する技術分野】
本発明は、デザイナーの高付加価値的な装飾用デザインを電子化技術によりデジタルデータ化して普遍的に流通させるシステムに関するものである。
【０００２】
【従来の技術】
店舗ウインドウや、建築現場のフェンス等を新素材のテープやシートを用いて装飾する装飾用デザインを例にとると、従来のペインテング画と違って、張り付けたり、剥がしたりが自由にできるので、画の書き換え等も簡単に綺麗にできるのが特徴で、例えば、ショウウインドウのデザイン等を、１日毎に書き換えて変化させ、お客の目を惹くといったことも簡単にできるものであり、操作の簡単さと変色しない仕上がりのムラの無さから画期的な装飾手法となってきている。
【０００３】
しかしながら、このような従来例において、装飾用デザインの原画（コレクション画）は、それぞれ有名デザイナー、或いは予め用意されたデザイナーによる作品であり、一方、装飾用デザインのコレクション画を製品化して施工する際に、装飾用の粘着シートを操って、なぞり再現する業者は別の職人というように、それぞれのデザイン、加工対象物、加工職人、施工業者などを結び付ける手段がないため、その間のビジネスとしての連携、宣伝、拡大という方向が働かず、装飾用デザインを用いた装飾ビジネスを開拓・発展させ、現代の装飾ビジネスとして高いレベルに定着させようということができず、折角の新素材が登場したとしても、その有望性が充分に生かされていないという問題があった。
【０００４】
【発明が解決しようとする課題】
そこで、本発明は、デザイナー、加工対象製品、施工業者、顧客などを結び付け、デザイン画像をデジタルデータ化して広域ネットワーク上に公開することにより、不特定多数の人々が自由に参画できるオープンなビジネス形態に発展させ、デジタルデータ化したデザイン画像のライブラリ化からネートワーク上への公開による受注・施工・納品の業務を、デザインの募集から施工・納品まで一貫して統括できるシステムを構築して所期の目的達成を図るデザイン・データの販売管理システム並びにデザイン・データを用いた装飾方法を提供することを目的としている。
【０００５】
【課題を解決するための手段】
上記目的を達成するため、請求項１〜９に記載の発明は次の点を特徴としている。
（１）請求項１に記載の発明は、デザイナーが製作し、店舗のウインドウのデコレーション、工事現場の仮囲い等に装飾を施すためのデザイン画像をデジタルデータ化して、デジタルデータ化された個々のデータを多数の専用コレクションとして選択・区分けし、関連付けして保存・蓄積するデザイン・データベースを有し、前記デザイン・データベースのデザイン画像をライブラリ化し、店舗、建設会社および一般客を含む不特定多数の顧客へ通信ネットワークを介して、前記ライブラリ化されたデザイン画像を、公開・受注・販売するデザイン管理本部のサーバと、前記デザイン管理本部と通信ネットワークを介して接続され、デザイン管理本部による募集又はデザイン管理本部との契約によりデザイン画像を登録するデザイナーの端末装置と、公開されたデザイン画像を参照して希望する商品を発注依頼する顧客の端末装置と、顧客からの依頼又はデザイン管理本部からの指示により受注・製品化・施工・納品を行う代理店の端末装置とで構成され、前記デザイン画像を登録しているデザイナーは通信ネットワークを介して店舗、建設会社および一般客を含む不特定多数の顧客の端末装置に公開され、前記顧客は公開された前記デザイナーに通信ネットワークを介して新規のデザインを依頼することができ、依頼により製作され登録されたデザイン画像はデジタルデータ化されて前記デザイン・データベースに保存・蓄積されるデザイン・データの販売管理システムであって、
前記デザイン画像を登録するデザイナーを作品の使用状況等によりランク付けし、このランクに基づいて前記デザイン画像の供給回数等の取扱いを規定することを特徴とする。
（２）請求項２に記載の発明は、デジタルデータ化された前記デザイン画像を取り扱う代理店を作品の発注状況等によりランク付けし、このランクに基づいて前記デザイン画像の発注回数等の取扱いを規定することを特徴とする。
（３）請求項３に記載の発明は、前記デザイン・データベースのデジタルデータ化されたデザイン画像は、作品毎に優先加工販売権が設定され、優先加工販売権が設定された各デザインのデジタルデータはオークションにより、施工・納品を行う前記代理店に提供されることを特徴とする。
（４）請求項４に記載の発明は、前記デザイン・データベースのデジタルデータ化されたデザイン画像は、作品毎に債券化され、債券化された各デザインのデジタルデータは、施工・納品に関与する顧客、代理店及び作品を制作したデザイナーを含むデザインの販売管理システム内で流通することを特徴とする。
（５）請求項５に記載の発明は、前記デザイン・データベースのデジタルデータ化されたデザイン画像の各データは、新たなデザイン画像におけるパーツとして使用可能で、通信ネットワークを介して前記パーツを用いた新たなデザイン画像を編集するデザイン編集手段を有していることを特徴とする。
（６）請求項６に記載の発明は、前記デザイン編集手段を用いて作成されたデザイン画像は、新たなデザイン画像としてデジタルデータ化され、前記デザイン・データベースに各データが関連付けされて登録・保存されることを特徴とする。
（７）請求項７に記載の発明は、店舗などに製品化され施工された前記デザイン画像による作品の写真又は施工仕様を、店舗、建設会社および一般客を含む不特定多数の顧客へ通信ネットワークを介して公開し、前記顧客は希望する当該デザイン画像による商品を、通信ネットワークを介して発注できることを特徴とする。
（８）請求項８に記載の発明は、請求項１〜７のいずれかに記載のデザイン・データの販売管理システムにおいて、デザイン画像の各デザインパーツを、装飾用粘着シートを用いて加工し製品化及び施工することを特徴とする。
（９）請求項９に記載の発明は、請求項１〜７のいずれかに記載のデザイン・データの販売管理システムにおいて、デザイン画像をプラスティックフィルム、紙などのシートに印刷して製品化及び施工することを特徴とする。
【０００６】
【発明の実施の形態】
以下、本発明の実施の形態について図を参照して説明する。以降、本実施の形態では、店舗のウインドウのデコレーション、工事現場の仮囲い（フェンス）等に装飾を施すことを想定して記述する。図１は本実施の形態におけるデザイン・データの販売管理システムの構成図である。図１において、１はデザイン管理本部で、デザイナーが製作した画像をデジタルデータ化し、デジタルデータ化された個々のデータを多数の専用コレクションとして選択・区分けし、関連付けられて保存・蓄積されるデザイン・データベースを備え、デザイン・データベースのデザイン画像をライブラリ化し、店舗、建設会社などの他、一般客を含む不特定多数の顧客に対し通信ネットワーク５を介して、ライブラリ化されたデザイン画像を公開、受注し、装飾用デザインとして再現して販売をする。
【０００７】
管理本部１には、装飾用デザインを登録するデザイナーの端末装置３、デザイン画像に基づいて、デザインを受注・製品化・施工・販売する代理店の端末装置２、及び公開されたデザインの中から、或いは新規にデザインを依頼して希望する商品を発注依頼する顧客の端末装置４が接続されている。
【０００８】
図２は、図１に示す販売管理システムのデザイン管理本部の構成図である。デザイン管理本部１は、図１に示したようにデザイナー３、代理店２、顧客４の各端末装置とインターネット等の通信ネットワーク５を介して接続され、デザイナー３によるデザイナー及びデザインの登録、顧客４又は代理店２によるデザインの検索と施工の発注を司り、デザイナーの製作した作品のデザイン画像はデジタルデータ化されてデザイン・データベース１５に保存・蓄積される。
【０００９】
デザイン管理本部１には、デザイン・データベース１５を管理するデータベースサーバー１２、デザイナー、顧客、代理店などに登録されたデザインの検索、公開や、各デザインパーツを用いて新たなデザインのシミュレーション機能を提供する他、各種手続き等のユーザーとのインターフェースを、Ｗｅｂを介して提供するＷｅｂサーバー１３、デザイナー、顧客、代理店など各ユーザーに各種情報を通知するメールサーバー１４、その他諸々の手続きを司るアプリケーションサーバー１１が備えられている。
【００１０】
予めデザイン管理本部１に登録されているデザイナー３、或いは一般応募によって登録されたデザイナー３は、必要な認証手続きを経て、ウインドウ・グラフィック、フェンス・グラフィック等の種類、春夏秋冬等の四季、お正月、クリスマスなどのイベント別、顧客の業種別、等の各項目別、テーマ別の各種分類に沿って装飾用デザインを応募・登録する。
【００１１】
デザイナー３によって登録された装飾用デザイン・コレクションはスキャナ等で読取り、デジタル画像データ化され必要に応じてデータ圧縮を行い、データ・テーブルを作成して、作者別、季節の四季別、イベント別、色彩別、製品化をする場所等の項目別、テーマ別に分類して関連付けを行ってデザイン・データベース１５に保存・蓄積される。デザイナー３の製作したデザインがデジタルデータの場合は、スキャナによる処理は省くことができる。１０１はデジタルデータ化手段、１０２はこれらを分類するデザイン分類化手段、１０３は分類されたデザインを関連付けしてライブラリ化するライブラリ化手段である。
【００１２】
一方、ウインドウ・デザイン等を希望する店舗客、フェンス等の装飾を希望する建設関連客、通常のガラス窓装飾、看板等を希望する一般客などの顧客４は、デザイナー３が製作した装飾用デザインを、管理本部１のＷｅｂサーバー１３を介しホームページを参照して直接申込むか、或いは代理店２を介して施工の申込み、発注を行う。ホームページの検索画面には、サムネール画像（縮小画）によるインデックスを作成して抽出画像を表示し、デザイン画像の判断がしやすいようにしている。また、施工代理店の検索や、施工業者の紹介も行うようにする。
【００１３】
さらに、デザイン管理本部１に登録されているデザイナー３は、ホームページ上で作品と共にプロフィールなどが紹介され、顧客４は公開されているデザイン画像の中に希望する作品がない場合に、公開されているデザイナーに新たなデザインを依頼することができる。依頼されて製作されたデザイン画像は、デザイン管理本部１の募集に対する応募と同様にして登録され、デザイン・データベース１５に保存・蓄積されて、依頼した顧客４或いは依頼されたデザイナー３との契約の下に公開され活用される。
【００１４】
顧客４からウインドウやフェンス等の装飾依頼を受けた代理店２は、管理本部１の提供するホームページを検索・参照して施工作品を選択し、装飾用デザインの画像データを得ることができる。また、代理店２は今まで請負・施工した施工作品を写真や施工仕様などの形で管理本部１に提供・登録することができ、顧客、代理店などは、Ｗｅｂサーバー１３を介し登録された施工作品を参照・発注することもできる。装飾用デザインを施工するために、装飾用の粘着シート（例えばカッティングシート：商標登録１４５１０８７）を用いて各デザインパーツが加工され、製品化されて施工される。装飾用の粘着シートはデザイン画像をもとに予め色分けされて用意されデザインパーツ毎に加工される。他の施工方法としては、予め透明フィルムなどのシートにデザイン画像を印刷して、所定の場所に貼り付けるようにすることもできる。
【００１５】
デジタル化されたデザイン・データベース１５のデザイン画像の各データは、新たなデザイン画像におけるパーツとして使用可能で、管理本部１はデザイナー３、顧客４、代理店２の各ユーザーに、画像データを編集して装飾用デザインをシミュレートするデザイン編集手段を、Ｗｅｂサーバー１３を介して提供し、編集結果得られたデザイン画像は、新たなデザイン画像としてデジタルデータ化され、デザイン・データベース１５に編集された各データが関連付けされて登録・保存される。
【００１６】
デジタル化されたデザイン画像は、時間、期限、使用回数等の提供条件を制限することが可能で、デザイナー３のランク或いはデザイナー３の作品に応じて、顧客４或いは代理店２への供給を制限し、作品としての価値を保持するようにしている。尚、デジタル化されたデザイン画像供給の制限条件はデジタルデータ化されたデータの最小単位毎に設定可能になっており、デザイン画像のデザインパーツ単位で提供を制限することができる。
【００１７】
デザイナー３のランクは、知名度によって予め設定される他、実際に施工された使用回数等によって設定され、このランクに基づいて装飾用デザインの供給回数等の取扱いを規定している。また、装飾用デザインを取り扱う代理店２を作品の発注状況等によりランク付けし、このランクに基づいて選択・発注できるデザイナー３、装飾用デザインの種類、回数等の取扱いを規定しており、無条件に施工することを許していないので、デザイナー３及びデザイナーの作品が保護される。また代理店２を得意分野に応じてカテゴリー分けすることにも一役かっている。
【００１８】
管理本部１はＷｅｂサーバー１３を介して、各代理店２に入札、競売などのオークション手段を提供し、デジタル化されたデザイン・データベース１５の特定のデザイン画像は、作品毎に優先加工販売権が設定され、優先加工販売権が設定された各デザインのデジタルデータはオークションによって、施工・納品が可能になる。
【００１９】
デジタル化されたデザイン画像は、作品毎に債券化することが可能で、債券化された各デザインのデジタルデータは、本システム内のデザイナー３、顧客４、代理店２間で流通し、デザイン画像の施工、納品、或いはデザイン画像に対する支払いなどの際に行使される。これによりデザイナー３は、本来無形のデザインを債券の形で預金した形になり、デザインの供給状況、オークション結果などを債券の価値に反映させることによって、デザインの需給に応じた利子又は配当を受けることができる。債券の保有、行使は顧客４、代理店２も可能であり、代理店２にとっては販売実績が債券の価値に反映されることになる。
【００２０】
以上の各機能はデザイン管理本部１のアプリケーションサーバー１１を中心としてなされ、１１１はデザイナー３及び登録されたデザインの検索と公開をする手段、１１２は代理店２から提供されて登録された施工作品の検索と公開をする手段で、ユーザーはＷｅｂサーバー１３を介してこれらを利用することになる。また、１２１は顧客４又は代理店２によるデザインの受発注集計手段、１２２はデザイナー３及びデザイナーによる作品のランク付け手段、１２３は代理店２のランク付け手段、１２４は提供するデザインの制限手段、１３１はオークション及びオークションにまつわる各種手続きを行う各種手段、１３２は代理店２に与えられる優先加工販売権の設定手段、１４１は本システム内で流通する債券を発行、管理する債券化手段である。
【００２１】
管理本部１のＷｅｂサーバー１３で公開する装飾用デザインは、管理本部１だけではなく、代理店２やデザイナー３が行ってもよい。但し、アクセスの内容や受注に関しては、全て本部で一括・統括するようにする。また、受発注の段取り、施工・納品、入出金処理などは全て管理本部１で一括処理される。この他、Ｗｅｂ上で公開する情報としては、制限されたデザインの作品残数、優先加工権を所有する代理店、各代理店が扱えるデザイン、契約代理店一覧、全国代理店一覧、価格等があり、ユーザーが情報交換できる掲示板なども備えている。
【００２２】
つぎに図３のフローチャートを参照して装飾用デザインの受発注について説明する。図３において、図１及び図２に示したように顧客４は端末装置を用いてインターネット等の通信ネットワーク５を介して管理本部１のＷｅｂサーバー１３に接続し、顧客の端末装置４に備わるＷｅｂブラウザによってホームページを参照する（Ｓ１０１）。代理店２が自店のホームページか又は自店への紹介などで、顧客４から施工を依頼された場合も同様にして代理店２の端末装置を用いてインターネット５を介して管理本部１のＷｅｂサーバー１３に接続し、ホームページを参照する（Ｓ１０１）。
【００２３】
ホームページを参照して顧客４又は代理店２は、ウインドウ装飾のコレクションの中から目的の装飾用デザインを検索する（Ｓ１０２）。例えばお正月をテーマに検索する場合、管理本部１はユーザー認証手続きを済ませた後、デザイン及び代理店のアクセスランクを判定し（Ｓ１０３）、デザイン・データベース１５のデータからテーマ「お正月」で抽出した表示可能なランクに応じたデザインのインデックス画面を、例えば２００１年の数字の透かし、松竹梅、などの絵柄を縮小画像によるインデックス形式（例えば８枚程度）でＷｅｂサーバー１３を介して送信し、アクセスしてきたユーザーの端末装置に表示する（Ｓ１０４）。
【００２４】
顧客４又は代理店２は表示されたインデックスの中の例えば「折り鶴の群舞」の絵柄が気に入ったとすると、申込み画面を表示して絵柄の装飾用デザインの番号を記入して発注する（Ｓ１０５）。申込書を受信した管理本部１は、直ちに受注手続きに入り、顧客４の場合は住所から最寄りの代理店２を選出して、顧客情報と共に装飾用デザイン・データベース２の「折り鶴の群舞」の画像データを代理店に転送し（Ｓ１０６）、顧客４には、「受注確認書」を電子メールで送信する（Ｓ１０７）。申込が代理店の場合は申込デザインの画像データを転送する（Ｓ１０６）と共に「受注確認書」を電子メールで送信する（Ｓ１０７）。
【００２５】
施工を請負った代理店２は管理本部１から転送されたデジタルデータを解凍し、デコード処理を行ってコレクションの元の装飾用デザイン画像を再現して、顧客４宅のウインドウを赤、黄色、緑、紫等で染め分けた「折り鶴の群舞」で飾り付け、装飾用デザインを完成する。施工が完了したら代理店２は管理本部１へ報告し、管理本部１は事後処理を行って終了する（Ｓ１０８）。
【００２６】
図４〜６は、図１〜３に示した販売管理システムのＷｅｂページの例を示しており、図４には、「ウインドウ・グラフィックス」と「フェンス・グラフィックス」の施工前と施工後の例を示す写真が掲載されている。図５はウインドウ・グラフィックスにおけるテーマを選択するＷｅｂページで、この画面では、「クリスマス」、「お正月」、「春」、「夏」、「秋」、「通年」の各テーマからデザイン画像を選択するようになっている。図６は、図５の画面のテーマから「お正月」を選択した場合で、各デザイナーの作品一覧が表示される。
【００２７】
このように本発明によれば、有名、無名のデザイン画像を数量限定で広域ネットワークに投入・公開することによって、デザインが公衆に完全に認知されて価値が高まり、単に店舗のショーウインドウ飾りや、建設現場のフェンス飾りの域から脱して、描く看板装飾などに代わる新しい装飾・宣伝アイテムとして定着させることが可能になる。また、本発明のデザイン・データの販売管理システムはウインドウやフェンスなどの環境・空間における装飾用デザインに限定されるものではなく、新聞・雑誌の広告、パッケージデザイン、カレンダー、各シンボル・ロゴ、映像・デジタルグラフィック、立体オブジェなど、デザイン画像をもとに展開する商品全般に適用可能であることは言うまでもない。
【００２８】
【発明の効果】
以上説明したように、本発明によれば、グラフィック・デザイン、立体的なオブジェ、映像を含むビジュアルデザインを販売管理するコンピュータシステムであって、デザイナーが製作した各デザイン画像をデジタルデータ化して、デジタルデータ化された個々のデータを多数の専用コレクションとして選択・区分けし、関連付けして保存・蓄積するデザイン・データベースと、デザイン・データベースのデザイン画像をライブラリ化し、店舗、建設会社および一般客を含む不特定多数の顧客へ通信ネットワークを介して、ライブラリ化されたデザイン画像を、公開・受注・再現・販売するデザイン管理本部と、デザイン管理本部と通信ネットワークを介して接続され、デザイン管理本部による募集又はデザイン管理本部との契約によりデザイン画像を登録するデザイナーと、公開されたデザイン画像を参照して希望する商品を発注依頼する顧客と、顧客からの依頼又はデザイン管理本部からの指示により受注・製品化・施工・納品を行う代理店と、の各端末装置で構成されるので、デザインの募集から施工・納品まで一括して統括・管理できるデザイン・データの販売管理システムを構成し、広域ネットワーク上に公開されることで、デザイナー及びデザイナー作品の知名度と価値が向上すると共に、デジタルデータ化されたデザインが発展的に使用されていく効果がある。
【００２９】
また本発明によれば、デザイン画像を登録しているデザイナーは通信ネットワークを介して店舗、建設会社および一般客を含む不特定多数の顧客に公開され、顧客は公開されたデザイナーに通信ネットワークを介して新規のデザインを依頼することができ、依頼により製作され登録されたデザイン画像はデジタルデータ化されてデザイン・データベースに保存・蓄積されるので、顧客が公開された中に存在しない特別なデザインの商品を注文することができるだけでなく、デザーナーにとっても新たな需要が生まれる効果がある。
【００３０】
また本発明によれば、複数のデザイナーの各デザイン画像をデジタルデータ化して登録されたデザイン・データベースの個々のデータは、デザイナー名、イベント別、顧客の業種別、製品化する場所等の各項目、テーマ別に分類され、分類された各データが相互に関連付けされて構成された各データの登録・更新・転送等のアクセスが通信ネットワークを介して可能であるので、デジタルデータは相互に関連付けられていることから、実際の施工イメージを保持したままデザイン画像が流通することが可能になる。
【００３１】
また本発明によれば、デザイン・データベースのデジタルデータ化されたデザイン画像は、時間、期限、使用回数等の供給条件を制限されるので、デザイン及びデザイナーのレベルに応じて流通を制限し価値を維持する効果がある。また、デジタルデータ化されたデザイン画像供給の制限条件を、デジタルデータ化されたデータの最小単位毎に設定できるので、デジタル化された個別パーツの管理も可能になる。
【００３２】
また本発明によれば、デザイン・データベースのデジタルデータ化されたデザイン画像の各データは、新たなデザイン画像におけるパーツとして使用可能で、通信ネットワークを介してパーツを用いた新たなデザイン画像を編集するデザイン編集手段を有し、デザイン編集手段を用いて作成されたデザイン画像は、新たなデザイン画像としてデジタルデータ化され、デザイン・データベースに各データが関連付けされて登録・保存されるので、デザイナーもしくはユーザーが容易に新しいデザインのシミュレーションと作品化をすることが可能になる。
【００３３】
また本発明によれば、デザイン画像を登録するデザイナーを作品の使用状況等によりランク付けし、このランクに基づいてデザイン画像の供給回数等の取扱いを規定することで、デザイナーの士気を高めると共に、そのデザイン自身の価値が評価されるようになる。また、請求項８の発明によれば、デジタルデータ化されたデザイン画像を取り扱う代理店を作品の発注状況等によりランク付けし、このランクに基づいてデザイン画像の発注回数等の取扱いを規定することで、製品化し施工する代理店は、より顧客の要望にあった商品の受注と展開をするようになる。
【００３４】
また本発明によれば、店舗などに製品化され施工されたデザイン画像による作品の写真又は施工仕様を、店舗、建設会社および一般客を含む不特定多数の顧客へ通信ネットワークを介して公開し、顧客は希望する当該デザイン画像による商品を、通信ネットワークを介して発注できるので、実際に製品を実装したイメージが発注段階で得られる効果がある。
【００３５】
また本発明によれば、デザイン・データベースのデジタルデータ化されたデザイン画像は、作品毎に優先加工販売権が設定され、優先加工販売権が設定された各デザインのデジタルデータはオークションにより、施工・納品を行う代理店に提供されるので、結果としてデザインの価値が代理店もしくは顧客から評価されることになる。
【００３６】
また本発明によれば、デザイン・データベースのデジタルデータ化されたデザイン画像は、作品毎に債券化され、債券化された各デザインのデジタルデータは、施工・納品に関与する顧客、代理店及び作品を制作したデザイナーを含むデザインの販売管理システム内で流通するようにしたので、デザインに対する価値を需要と供給とを反映した明確な形として流通させることができる。
【図面の簡単な説明】
【図１】本発明の実施の形態におけるデザイン・データの販売管理システムの構成図である。
【図２】図１に示す販売管理システムのデザイン管理本部の構成図である。
【図３】図１に示す販売管理システムの受発注の一例を示すフローチャートである。
【図４】図１に示す販売管理システムのＷｅｂページの一例を示す図である。
【図５】図１に示す販売管理システムのＷｅｂページの一例を示す図である。
【図６】図１に示す販売管理システムのＷｅｂページの一例を示す図である。
【符号の説明】
１ デザイン管理本部
２、２ａ 代理店（代理店の端末装置）
３、３ａ デザイナー（デザイナーの端末装置）
４ 顧客（顧客の端末装置）
５ 通信ネットワーク
１１ アプリケーションサーバー
１２ データベースサーバー
１３ Ｗｅｂサーバー
１４ メールサーバー
１５ デザイン・データベース
【図１】
0004846091.tif 000002
【図２】
0004846091.tif 000003
【図３】
0004846091.tif 000004
【図４】
0004846091.tif 000005
【図５】
0004846091.tif 000006
【図６】
0004846091.tif 000007